(57)【要約】【課題】  従来の様な設置場所が固定された広告板や電光掲示板等また本来別の目的をもつ移動体に静止画を表示したり人力の２、３輪車に単体の運動画像表示器を設置して広告や宣伝を行なうと言う方法では複数の運動画像表示器を用いてより多くの運動画像情報を適切な時間や場所に素早く移動して提供して広告や宣伝の効果を上げることはできない。又、多くの人々の目線にあわせて画像表示器の位置や角度を調節できないので良質な画像を提供することはできない。【解決手段】  複数の運動画像表示器を自動移動体に設置しその各運動画像表示器を保持するフレーム上で角度や方向をかえたり高さを調節し回転できるようにフレー厶を構成した。これにより、自由に移動して多くの人々に広告や宣伝、様々な情報をより良質な運動画像で提供しその効果をあげることができる。【選択図】図１
2005134854.tif 000002
【特許請求の範囲】
【請求項１】
自動移動体上に設置された支持体に取り付けられた一面、又は二面以上の平面または曲面で構成された表示画面を持つ運動画像表示器でその運動画像表示器の当該支持体上の位置の移動及び表示画面の方向、角度、回転等を調節しうる機能を備え自動移動体上に保持されてなる事を特徴とする運動画像表示装置。
【請求項２】
前記運動画像表示器の位置等の調節を自動的に行なうための駆動機とその駆動力を伝達するための伝達装置及び表示画面の位置、方向、角度、回転等を調節する調節手段を有する請求項１に記載の運動画像表示装置。
【請求項３】
前記の運動画像表示器に必要な文字、図柄、写真、動画等の画像情報と音声を入力し記憶させたメモリーカードや磁気テープ、磁気ディスク、光ディスク等によって画像と音声を再生するための音声画像再生装置を具備してなる請求項１、２に記載の運動画像表示装置。
【請求項４】
前記の運動画像表示装置に必要な電力は自動移動体上に設けられた発電装置及び蓄電装置等から取り出されて駆動機と複数の音声画像再生装置に供給され各音声画像再生装置により再生された音声画像情報が情報分配器を介して各音声画像表示器に供給される為の機器及び回路を具備してなる請求項１、２、３に記載の運動画像表示装置。
【発明の詳細な説明】
【技術分野】
【０００１】本発明は、自動２輪車３輪車、４輪以上の自動車、船舶等の自動移動体に設けられた運動画像表示装置に関するものである。
【背景技術】
【０００２】従来、建造物の屋上や壁面等を利用して電光掲示板、大型スクリーン、看板を用いニュースや広告、宣伝等の情報を伝達することは広くおこなわれている。小型の運動画像表示器や看板などは店の前、店内あるいは車内等に設置されて情報の伝達をおこなっている。又、静止画をバス、タクシー、電車等の車体を利用して表示し宣伝をする方法もおこなわれている。そして人力の２、３輪車に運動画像表示器を設けた運搬車の発明も公開されている。
【実用新案文献１】
実登平８−３０３１１５２号  公報
【０００３】これら公知の建物の壁面等に設置された運動画像表示器や看板は、設置場所が固定されたものであるためその設置場所の近くを通行する人しか見ることが出来ず設置場所が限られる上その宣伝、広告の効果が高い一等地といわれる様な場所ほどその設置及び利用に対する費用は高価なものとなっており、また新しく設置場所を求めることも非常に困難な状況にある。
【０００４】バス、タクシー、トラック等の自動車の車体を利用して静止画像を表示し宣伝、広告を行なっている事も見られるがこれらの移動体はその移動体としての本来の目的が他にあり広告や宣伝のためにより効果的な場所や時間に適切に移動させられている訳ではない
【０００５】  又、実用新案３０３１１５号の発明では人力による運搬車であるためその構造上の重量等を考慮するとある程度の距離を安全に且つ迅速に移動させる事は困難でありその運動画像表示器は単体で画面の高さ、方向、角度等を自由にかえられる構造にはなっていないので通行人の数や距離に応じて画面をより高い位置にセットしたり人々の目線に合った方向や角度にセットしてより多くの人により多くの良質で適格な画像を提供することは難しいと言う問題が残る。
【発明の開示】
【発明が解決しようとする課題】
【０００６】以上述べた従来のような設置場所が固定された広告板や一部移動体を利用した広告、宣伝の方法ではより適切な時期や時刻により適格な場所に素早く移動し通行人や人々の流れに合わせた見やすくて良質な運動画像を提供して宣伝や広告の効果を上げることは困難である。【０００７】本発明はこのような従来の構成が有していた問題を解決しようとするものであり運動画像表示装置を自動移動体に設置して移動し、その自動移動体の方向や角度にかかわらず各運動画像表示器の表示画面の位置や角度を通行人の流れにそった、また人々の目線に合った見やすい位置に調節し得る構造にすることによって広告や宣伝、情報等の伝達の効果をより一層高めることを目的とするものである。
【課題を解決するための手段】
【０００８】そして、本発明は上記目的を達成するために自動移動体が二、三輪車であればその座席後部や、また四輪以上の自動車等ならばその室内、荷台、トランク、ルーフ上などに、あるいは自動移動体が船舶等ならばその使用位置上にＬＥＤ表示器、プラズマ表示器、有機ＥＬ表示器等を使用する複数の運動画像表示器が平板、円筒、中空筒等のフレームによって構成されたフレームユニット上に保持されてなりその表示画面は当該フレーム上において画面の方向や角度等をかえたり回転や上下の移動等も可能な形態に構成された装置を弾性体を介して設置したものである。【０００９】また本発明の第二の課題解決手段は、水平フレー厶上に角度調節具を介して画像表示器取り付け板を設けることにより画像表示器取り付け板に固定された画像表示器の上下の角度を調節可能にし、その水平フレームは左右水平回転板を介して垂直回転軸に固定され垂直回転軸は上下移動用ユニットに回転可能な形でとりつけられる。これにより取り付けられた画像表示器の表示画面の角度ばかりでなく左右に方向を変更し又横画面を縦画面に変更する事も可能な構成としたものである。そして各フレームを介して運動画像表示器を設けた上下移動用ユニットは垂直フレームの頂点に設けられた滑車を介して垂直フレーム下部に設置された巻き取り具にワイヤー等によって連結される。これによりワイヤー等を巻き取り具に巻き取ったり緩めたりすることによって上下移動用ユニットは垂直フレー厶の内部を上下に移動し各フレームを介して保持された運動画像表示器は上下の位置の調節を可能にした。さらに巻き取り具からワイヤー等によって垂直フレームに保持された各フレームを介して取り付けられた運動画像表示器の装置を一つのユニトとしこのユニットを二つ以上設置することにより複数の運動画像表示器を搭載する事を可能にする構成とした。また各巻き取り具は装備された駆動機のクラッチ操作等により歯車等を介してその駆動力により作動する構造とする。そして垂直ユニットは台座に固定され収納ボックス上で回転可能な構造とした。以上の位置調節手段の方法は上記以外の方法によっても良い。【００１０】また、第三の解決手段は、運動画像表示器に必要な文字、図柄、写真、動画等の画像情報と音声情報をメモリーカードや磁気テープ、磁気ディスク、光ディスク等に記憶させ入力して再生する音声画像再生装置を設けたものである。【００１１】また、第四の解決手段は、運動画像表示装置に必要な電力を自動移動体に設けられた発電機、バッテリー等から音声画像再生装置及び駆動機に供給するための電気回路を設けてその回路上に直流交流変換器と変圧器を設置しさらに音声画像再生装置によって再生された音声画像情報を音声画像情報分配器を通じて各運動画像表示器に伝達するための音声画像情報伝達回路を設ける。【００１２】上記第一の課題解決手段による作用は次の通りである。広告や宣伝等の情報を運動画像によって表示しうる装置を自動移動体上に設置する事により通行人の多い所や人々の集まる場所に素早く移動してより多くの人々に情報を伝達することができる。また自動移動体が停止した方向や角度に関わらず運動画像表示器の表示画面の位置や方向、角度を調節する事によってより鮮明で見やすい運動画像を提供することによって広告や宣伝の効果を上げることが出来る。また弾性体を介して設置されているので自動移動体の移動時のショックは吸収され運動画像表示装置は保護されている。【００１３】また、第二の解決手段による作用は二つ以上のフレームユニットを自動移動体上に設置することにより複数の運動画像表示器を搭載することが可能になり一カ所で多方向の人に効率よく運動画像情報を提供することができる。そして各運動画像表示器を保持したフレー厶ユニットは画像表示画面の上下の角度を調節するための角度調節具を設け左右に方向を変えられる様に水平回転板が設けられている。また、水平に置かれた横型画面の運動画像表示器を垂直に回転させて縦型画面に変更するなど垂直回転を可能にするための垂直回転筒を設けてさらに垂直フレームにそって搭載された駆動機の力により画像表示器の上下の位置の移動を可能に構成し、さらに垂直フレームを固定する台座が回転する構造により人の流れの方向や位置、人数にあわせて自由に手軽に画像表示画面を動かすことが可能になりより多くの運動画像情報をより快適な位置で人々に提供し広告や宣伝の効果を上げることができる。すなわち子供達に情報を提供したり、表示画面にタッチパネル方式を用いた時はその表示画面の位置を低い位置に設定し又、多くの人々が集まっている様な場所においては前列の人々より高い位置に設定した表示画面の角度を下方に修正して後方の人々にも見やすくする等してより多くの人々に正確な情報を提供して広告、宣伝等の効果を上げることができる。【００１４】第三の解決手段による作用は当劾運動画像表示装置は自動移動体上に設けられてなるものであるので自由にその場所を移動させることができるがその場所場所や時間によって最もてきした情報等をそれを記憶させたメモリーカード等を選んで差し替えることにより良質で快適な広告や宣伝、その他の情報等を提供することができる。【００１５】そして、第四の解決手段による作用は、その電源を自動移動体以外の場所から提供を受ける事なく自由に移動が可能になり複数の運動画像表示器と複数の音声画像再生器を搭載した場合は各再生器により再生された音声画像情報を各表示画面に同一の情報を同時に流したり分割して流すことを可能にする事により広告や宣伝等の効果をより一層たかめることができる。
【発明の効果】
【００１６】上述したように本発明の自動移動体用運動画像表示装置は広告や宣伝及び情報等の伝達の効果を上げるために自由に移動し通行人の流れの方向や人々の視線に合わせて表示画面の高さや方向、角度等を調節して良質で適切な運動画像を提供することによって広告や宣伝、および情報の効果を上げることができる。
【発明を実施するための最良の形態】
【００１７】以下、本発明の実施の形態を図１〜図４に基ずいて説明する。【００１８】図においては、１は本発明の自動移動体用運動画像表示装置で２器の運動画像表示器を装備して自動２輪スクーターの運転席後部に設置した場合の実施例を斜め前方から見た時の斜視図である。２は音声画像再生装置１６ａ．１６ｂ．駆動用モーター８、ワイヤー巻き取り具１１、クラツチ機構等を収納する収納ボックスで防振弾性体１２を介してスクーター運転席後部に取り付けられその上部に垂直フレーム４ａ．４ｂに取り付けられた運動画像表示器３ａ．３ｂを保持している。【００１９】運動画像表示器３ａは水平フレーム５に角度調節具７を介して取り付けられた画像表示器取り付け板６に固定されている。【００２０】水平フレームの中心部に設けた左右回転板１４は垂直回転軸１５に取り付けられてありその垂直回転軸は上下移動用ユニット１３の軸受筒に差しこまれて保持されている。【００２１】上下移動用ユニット１３は垂直回転軸の回転固定具２３と垂直フレーム内の上下に移動の際の摩擦の抵抗を軽減するためのタイヤ２１とベアリング２２を有し収納ボックス内に設けられた巻き取り具１１に巻かれたワイヤーにより垂直フレー厶４ａ内の上部に設けられた滑車２０を介して吊り下げられる。【００２２】垂直フレー厶４ａ．４ｂは台座９に直立して固定されておりその台座９は収納ボックス上に設けられた台座回転レール１０上に設置されている。台座の中心部は中空でその中をワイヤー１９と音声画像再生器１６ａ．１６ｂから運動画像表示器３ａ．３ｂへの配線が通る構造でありその低部に台座回転用ギア１６がもうけてある。【００２３】８は駆動機のモーターで駆動力を伝達するためのギア１８を有しワイヤー巻き取り具１１は巻き取り用ギア２９をもうけてある。【００２４】図４は本装置の配線図で車載の発電機２８で発電された電力はバッテリー２７を経て交流直流変換器２４により交流に変換され変圧器２５によって電圧を調節されて駆動用モーター８と音声画像再生器１６ａ．１６ｂに供給される。音声画像再生器によって再生された音声画像情報は情報分配器２６で処理されて運動画像表示器３ａ．３ｂに伝達される。【００２５】以下、上記構成の動作を説明する。本発明の運動画像表示装置は防振弾性体１２を介して自動２輪スクーター上に設置されているので移動中の振動から機器は保護されている。運動画像表示器は角度調節具７によりその画面の角度を上下に変え左右回転板により画面の方向を左右に変えることができる。また、垂直回転軸により横型水平画面を縦形垂直画面に使用することも可能である。そして、台座下部に設けられた回転ギアをモーターギア１８に接続することによりモーターの動力で台座が回転し台座上に設けられた垂直フレー厶４ａ，４ｂに支持された運動画像表示器３ａ，３ｂも回転できる。さらにモーターギア１８をワイヤー巻き取り具の巻き取り用ギアに接続してワイヤーを巻きこめばワイヤーの先端に接続された上下移動用ユニットが垂直フレーム内を上にあがり緩めれば下にさがって運動画像表示器３ａ，３ｂも上下移動が可能である。【００２６】また、車載の発電機およびバッテリーから供給され交流直流変換器２４変圧器２５によって調節された電力で音声画像再生器１６ａ，１６ｂによりメモリーカード等に記憶させた情報を再生して情報分配器２６を通じて運動画像表示器に供給してその画面に表示することができる。以上のように、本実施形態によれば運動画像表示装置を自動移動体上に設置して移動しその運動画像表示器を通行人の流れや人々の目線の方向や高さに合わせて自由に調節して広告や宣伝および情報の伝達等の効果を上げることができる。
【図面の簡単な説明】
【００２７】
【図１】本発明の実施形態を示す自動２輪スクーター上に設置した自動移動体用運動画像表示装置の斜め前方より見た外観図
【図２】運動画像表示器を２器設置した運動画像表示装置の全体図
【図３】運動画像表示装置のフレーム構成図
【図４】同装置の配線図
【符号の説明】
【００２８】  １  自動２輪スクーター
２  電装機器収納ボックス
３ａ  運動画像表示器
３ｂ  運動画像表示器
４ａ  垂直フレー厶
４ｂ  垂直フレーム
５  水平フレーム
６  運動画像表示器取り付け板
７  角度調節具
８  モーター
９  台座
１０  台座回転レール
１１  ワイヤー巻き取り具
１２  防振弾性体
１３  上下移動用ユニット
１４  左右回転板
１５  垂直回転軸
１６ａ  音声画像再生器
１６ｂ  音声画像再生器
１７  台座回転ギア
１８  モーター用ギア
１９  ワイヤー
２４  交流直流変換器
２５  変圧器
２６  音声画像情報分配器
２７  バッテリー
２８  発電機
２９  ワイヤー巻き取りギア
【図１】
2005134854.tif 000003
【図２】
2005134854.tif 000004
【図３】
2005134854.tif 000005
【図４】
2005134854.tif 000006